(57)【要約】【課題】他の機器からの遠隔操作に応じて処理されたデータを自動で他の機器に送信する際の操作を簡略にすること。【解決手段】撮影装置１は、携帯端末装置２と連携して所定のデータ処理を実行するデータ処理装置であり、撮影制御部５３と、第２通信部２１−１と、第１通信部２０−１と、通信制御部５１と、を備える。撮影制御部５３は、リモート撮影を実行する。第２通信部２１−１は、携帯端末装置２からの指示を受付可能であり、リモート撮影を実行可能な第１の動作状態にない場合であっても、携帯端末装置２との通信接続が可能である第２通信方式により通信を行う。第１通信部２０−１は、第１の動作状態にあることを条件として、携帯端末装置２との通信接続が可能である第１通信方式により通信を行う。通信制御部５１は、第２通信部２１−１による第２通信方式を介し、携帯端末装置２に対して、第１の動作状態に移行させる第１の指示を行う。【選択図】図３
2017204818.tif 000002
【特許請求の範囲】
【請求項１】
他の機器と連携して所定のデータ処理を実行するデータ処理装置であって、
前記所定のデータ処理を実行する実行手段と、
第１の動作状態にあることを条件として、前記他の機器との通信接続が可能である第１の通信方式により通信を行う第１の通信手段と、
前記第１の動作状態にない場合であっても、前記他の機器との通信接続が可能である第２の通信方式により通信を行う第２の通信手段と、
当該データ処理装置が前記第１の動作状態に移行したことに呼応して、前記第２の通信手段による前記第２の通信方式を介し、前記他の機器に対して、前記第１の動作状態に移行させる第１の指示を行う制御手段と、
を備え、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信手段による前記第１の通信方式を介して実行される前記所定のデータ処理を受付可能な状態である、
ことを特徴とするデータ処理装置。
【請求項２】
前記制御手段は、当該データ処理装置が前記所定のデータ処理を実行可能なモードに移行したことに呼応して、前記他の機器に対して前記第１の指示を行う、
ことを特徴とする請求項１に記載のデータ処理装置。
【請求項３】
撮像手段を、更に備え、
前記制御手段は、ユーザによる電源オン操作に呼応して、前記他の機器に対して、前記第１の指示を行い、
前記実行手段は、前記他の機器からの遠隔操作に呼応して、前記撮像手段による撮影を実行し、当該撮影により取得された画像を前記第１の通信手段による前記第１の通信方式を介し、当該他の機器に送信する処理を、前記所定のデータ処理として実行する、
ことを特徴とする請求項２に記載のデータ処理装置。
【請求項４】
ユーザによる撮影指示に呼応して、前記撮像手段による撮影を実行する手動撮影手段と、
前記他の機器が前記第１の動作状態にない場合は、前記手動撮影手段による撮影を許可し、当該第１の動作状態にある場合は、当該手動撮影手段による撮影を制限する制御を行う撮影制御手段と、を備える、
ことを特徴とする請求項３に記載のデータ処理装置。
【請求項５】
前記撮影制御手段は、前記制御手段により、前記他の機器に対して前記第１の指示が行われた後であっても、当該他の機器が前記第１の動作状態に移行する前は、前記手動撮影手段による撮影を許可する制御を行う、
ことを特徴とする請求項４に記載のデータ処理装置。
【請求項６】
前記制御手段は、当該データ処理装置が、前記第１の動作状態とは異なる第２の動作状態に移行したことに呼応して、更に、前記第２の通信手段による前記第２の通信方式を介し、前記他の機器に対して、当該第２の動作状態に移行させる第２の指示を行い、
前記第２の動作状態は、
（ｉ）当該データ処理装置が、前記他の機器から前記所定のデータ処理を実行するように遠隔操作を実行不能であり、かつ
（ｉｉ）前記他の機器が、当該データ処理装置から前記第１の通信手段による前記第１の通信方式を介して実行される当該所定のデータ処理を受付可能な状態である、
ことを特徴とする請求項１に記載のデータ処理装置。
【請求項７】
当該データ処理装置が前記所定のデータ処理を実行不能なモードに移行したことに呼応して、前記他の機器が前記第１の動作状態にあるか否かを判別する判別手段を、更に備え、
前記制御手段は、前記判別手段により前記他の機器が前記第１の動作状態にあると判別された場合に、当該他の機器に対して、前記第２の指示を行う、
ことを特徴とする請求項６に記載のデータ処理装置。
【請求項８】
撮像手段を、更に備え、
前記実行手段は、前記他の機器からの遠隔操作に呼応して、前記撮像手段による撮影を実行し、当該撮影により取得された画像を前記第１の通信手段による前記第１の通信方式を介し、当該他の機器に送信する処理を、前記所定のデータ処理として実行し、
前記制御手段は、ユーザによる電源オフ操作に呼応して、前記他の機器に対して、前記第２の指示を行い、
前記実行手段は、前記所定のデータ処理を実行不能なモードに移行した後であっても、前記他の機器に送信すべき画像がある場合は、当該画像を当該他の機器に送信する処理を実行する、
ことを特徴とする請求項６又は７に記載のデータ処理装置。
【請求項９】
前記他の機器から当該データ処理装置への遠隔操作は、前記第１の通信手段による前記第１の通信方式を介して行われる、
ことを特徴とする請求項１乃至８の何れか１項に記載のデータ処理装置。
【請求項１０】
前記第１の通信方式は、通信速度が速い通信方式であって、
前記第２の通信方式は、消費電力が低い通信方式である、
ことを特徴とする請求項１乃至９の何れか１項に記載のデータ処理装置。
【請求項１１】
他の機器と連携して所定のデータ処理を実行し、第１の通信手段と、第２の通信手段とを備えるデータ処理装置で実行されるデータ処理方法であって、
前記所定のデータ処理を実行する実行ステップと、
第１の動作状態にあることを条件として、前記他の機器との通信接続が可能である第１の通信方式により第１の通信手段で通信を行う第１の通信ステップと、
前記第１の動作状態にない場合であっても、前記他の機器との通信接続が可能である第２の通信方式により第２の通信手段で通信を行う第２の通信ステップと、
当該データ処理装置が前記第１の動作状態に移行したことに呼応して、前記第２の通信手段による前記第２の通信方式を介し、前記他の機器に対して、前記第１の動作状態に移行させる第１の指示を行う制御ステップと、
を含み、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信ステップにおいて前記第１の通信方式を介して実行される前記所定のデータ処理を受付可能な状態である、
ことを特徴とするデータ処理方法。
【請求項１２】
他の機器と連携して所定のデータ処理を実行し、第１の通信手段と、第２の通信手段とを備えるデータ処理装置を制御するコンピュータを、
前記所定のデータ処理を実行する実行機能と、
第１の動作状態にあることを条件として、前記他の機器との通信接続が可能である第１の通信方式により第１の通信手段で通信を行う第１の通信機能と、
前記第１の動作状態にない場合であっても、前記他の機器との通信接続が可能である第２の通信方式により第２の通信手段で通信を行う第２の通信機能と、
当該データ処理装置が前記第１の動作状態に移行したことに呼応して、前記第２の通信手段による前記第２の通信方式を介し、前記他の機器に対して、前記第１の動作状態に移行させる第１の指示を行う制御機能と、
を実行し、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信機能による前記第１の通信方式を介して実行される前記所定のデータ処理を受付可能な状態である、
ことを特徴とするプログラム。
【発明の詳細な説明】
【技術分野】
【０００１】
本発明は、データ処理装置、データ処理制御方法及びプログラムに関する。
【背景技術】
【０００２】
従来より、撮影装置により撮影された画像を、撮影した撮影装置だけではなく、他の機器でも活用することが行われている。特許文献１では、他の機器でも活用するために画像が撮影されると自動的に他の機器に送信する技術が開示されている。一方、他の機器からの遠隔操作により、撮影装置に撮影を実行させる技術も知られており、他の機器からの遠隔操作により撮影された画像を自動的に他の機器に送信することも可能となっている。
【先行技術文献】
【特許文献】
【０００３】
【特許文献１】特開２００２−３４２４６５号公報
【発明の概要】
【発明が解決しようとする課題】
【０００４】
しかしながら、上述した特許文献１に記載の技術では、撮影装置と他の機器各々を操作して、この動作を可能とするための準備が必要があるという問題がある。また、この問題は、画像の撮影に限らず、他の機器からの遠隔操作に応じて処理されるデータを自動的に他の機器に送信する技術に共通していえることである。
【０００５】
本発明は、このような状況に鑑みてなされたものであり、他の機器からの遠隔操作に応じて処理されたデータを自動で他の機器に送信する際の操作を簡略にすることを目的とする。
【課題を解決するための手段】
【０００６】
上記目的を達成するため、本発明の一態様のデータ処理装置は、
他の機器と連携して所定のデータ処理を実行するデータ処理装置であって、
前記所定のデータ処理を実行する実行手段と、
第１の動作状態にあることを条件として、前記他の機器との通信接続が可能である第１の通信方式により通信を行う第１の通信手段と、
前記第１の動作状態にない場合であっても、前記他の機器との通信接続が可能である第２の通信方式により通信を行う第２の通信手段と、
当該データ処理装置が前記第１の動作状態に移行したことに呼応して、前記第２の通信手段による前記第２の通信方式を介し、前記他の機器に対して、前記第１の動作状態に移行させる第１の指示を行う制御手段と、
を備え、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信手段による前記第１の通信方式を介して実行される前記所定のデータ処理を受付可能な状態である、
ことを特徴とする。
【発明の効果】
【０００７】
本発明によれば、他の機器からの遠隔操作に応じて処理されたデータを自動で他の機器に送信する際の操作を簡略にすることができる。
【図面の簡単な説明】
【０００８】
【図１】本発明の一実施形態に係る画像送信システムＳのシステム構成を示すシステム構成図である。
【図２】本発明の一実施形態に係る撮影装置１及び携帯端末装置２のハードウェアの構成を示すブロック図である。
【図３】図２の撮影装置１及び携帯端末装置２の機能的構成のうち、リモート動作処理及び自動送信電源オフ処理を実行するための機能的構成を示す機能ブロック図である。
【図４】図３の機能的構成を有する図２の撮影装置１及び携帯端末装置２が実行するリモート動作処理の流れを説明するフローチャートである。
【図５】図３の機能的構成を有する図２の撮影装置１及び携帯端末装置２が実行する自動送信電源オフ処理の流れを説明するフローチャートである。
【発明を実施するための形態】
【０００９】
以下、本発明の実施形態について、図面を用いて説明する。
【００１０】
図１は、本発明の一実施形態に係る画像送信システムＳのシステム構成を示すシステム構成図である。
画像送信システムＳは、図１に示すように、撮影装置１と、携帯端末装置２とを備える。
画像送信システムＳでは、撮影装置１で撮影された画像（以下、「撮影画像」という。）を、撮影後に、外部装置である携帯端末装置２に自動的に送信する機能を有する。
本実施形態においては、撮影装置１は、撮影画像のうち、（図中ハッチングで示した）送信対象となっている撮影画像のみを携帯端末装置２に送信する。撮影装置１では、撮影画像の送信対象と送信状況を撮影画像のＩＤで管理する送信対象リストを保持しており、当該送信対象リストを参照して、撮影画像の送信を行う。即ち、撮影装置１では、送信対象リストに記憶される未送信ＩＤに基づいて、対応する撮影画像を携帯端末装置２に送信する。なお、送信対象への設定は、例えば、撮影時の設定（「自動送信設定：入／切」）等に基づき行われる。
【００１１】
撮影装置１における自動送信機能を実行するために、以下の処理系統を複合したシーケンスシステムを構築して実現している。
（１）ステータス管理および自動送信シーケンス
（自動送信ループとステータス管理およびステータス処理）
（２）送信禁止処理シーケンス
（事前の送信禁止確認処理等）
（３）送信要求が無くても自主的に再送信を試みるシーケンス
（送信枚数管理）
（４）割り込み処理シーケンス
（通信切断、送信中断、強制電源オフ等）
（５）接続タイムアウト処理シーケンス
（通信接続、送信応答、送信完了後通信切断）
（６）ＷｉＦｉ切断処理シーケンス
（ＷｉＦｉ接続管理）
（７）自動送信電源オフ処理シーケンス
（８）送信要求通知シーケンス
（送信画像ファイルの管理）
（９）送信禁止要求及び解除シーケンス
（送信以外の処理と並行して送信処理を実行するための状態管理）
【００１２】
また、本実施形態の画像送信システムＳにおいては、撮影装置１では、画像の送信にあたり、２つの通信方式を用いる。即ち、高速でありファイルの送受信に適した無線通信方式（以下、「第１通信方式」という。）と、低速であるが省電力であり常時接続に適した無線通信方式（以下、「第２通信方式」という。）との通信方式で、画像の送信を行う。
なお、本実施形態において、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。また、第２通信方式は、ＢＬＥ（Ｂｌｕｅｔｏｏｔｈ  ｌｏｗ  ｅｎｅｒｇｙ／Ｂｌｕｅｔｏｏｔｈ  ＬＥ，「Ｂｌｕｅｔｏｏｔｈ」は登録商標）（商標）の通信規格に基づいた通信方式を用いる。
【００１３】
本実施形態の画像送信システムＳにおいて撮影画像の自動送信機能を発揮する場合には、撮影装置１と携帯端末装置２の間で、第２通信方式であるＢＬＥで通信が確立した状態（常時接続状態）で行われる。即ち、撮影装置１と携帯端末装置２との間で、第２通信方式であるＢＬＥで接続がされていることが前提となって撮影画像の自動送信機能が発揮される。
具体的には、撮影装置１から、携帯端末装置２に対して、第２通信方式での通信を介して、第１通信方式であるＷｉ−Ｆｉでの通信を確立するように指示（制御信号）を出して、撮影装置１と携帯端末装置２との間で第１通信方式であるＷｉ−Ｆｉでの通信を確立する。なお、本実施形態においては、撮影装置１では、Ｗｉ−Ｆｉにおいて親機となるようにし、携帯端末装置２では、第１通信方式であるＷｉ−Ｆｉにおいて子機となるようにして、撮影装置１と携帯端末装置２の１対１の直接通信で通信を確立する。
その後、撮影装置１から、携帯端末装置２に対して、第１通信方式で、画像を送信する。これにより、携帯端末装置２では、操作を行うことなく、第１通信方式で、画像を受信することができるようになる。
【００１４】
また、画像送信システムＳでは、撮影装置１に保存されている画像を、ユーザが呼び出して、任意に外部装置である携帯端末装置２に手動で送信する機能を有する。
また、撮影装置１は、画像を撮影するＲＥＣモードと記憶されている画像を呼び出して表示するＰＬＡＹモードを有し、自動送信はＲＥＣモードで行われ、手動送信ＰＬＡＹモードで行われる。
【００１５】
さらに、携帯端末装置２では、撮影装置１から受信した撮影画像を、例えば、記憶・管理したり、他の外部機器との画像の共有を目的として、クラウドサーバにアップロードしたりする等の撮影画像の外部装置での活用がなされる。
【００１６】
図２は、本発明の一実施形態に係る撮影装置１及び携帯端末装置２のハードウェアの構成を示すブロック図である。
撮影装置１は、例えば、デジタルカメラとして構成される。
【００１７】
撮影装置１は、図２に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、第１通信部２０と、第２通信部２１と、ドライブ２２と、電源部２３と、を備えている。
【００１８】
ＣＰＵ１１は、ＲＯＭ１２に記録されているプログラム、又は、記憶部１９からＲＡＭ１３にロードされたプログラムに従って各種の処理を実行する。
【００１９】
ＲＡＭ１３には、ＣＰＵ１１が各種の処理を実行する上において必要なデータ等も適宜記憶される。
【００２０】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、第１通信部２０、第２通信部２１、ドライブ２２及び電源部２３が接続されている。
【００２１】
撮像部１６は、図示はしないが、光学レンズ部と、イメージセンサと、を備えている。
【００２２】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２３】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮影画像のデータ」とも呼ぶ。撮影画像のデータは、ＣＰＵ１１や図示しない画像処理部等に適宜供給される。
【００２４】
入力部１７は、各種釦等で構成され、ユーザの指示操作に応じて各種情報を入力する。
出力部１８は、ディスプレイやスピーカ等で構成され、画像や音声を出力する。
【００２５】
記憶部１９は、ハードディスク或いはフラッシュメモリ等で構成され、各種画像のデータを記憶する。
【００２６】
第１通信部２０は、高速でありファイルの送受信に適した無線通信方式である第１通信方式で外部装置（本実施形態においては、携帯端末装置２）との間で行う通信を制御する。本実施形態においては、第１通信方式は、無線ＬＡＮのうちＷｉ−Ｆｉの通信規格に基づいた通信方式を用いる。
【００２７】
第２通信部２１は、低速であるが省電力であり常時接続に適した無線通信方式である第２通信方式で外部装置（本実施形態においては、携帯端末装置２）との間で行う通信を制御する。本実施形態においては、第２通信方式は、ＢＬＥの通信規格に基づいた通信方式を用いる。
【００２８】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２９】
電源部２３は、例えば、リチウムイオン二次電池により構成され、電源回路（図示せず）を介して、撮影装置１に駆動用の電力を供給する電力供給源であり、撮影装置１の駆動源としての電流を撮影装置１の各構成へ供給する。電源部２３は、ＣＰＵ１１により制御され、例えば、電源オフ状態において、出力部１８等への電源の供給を停止して表示出力をオフして、第１通信部２０や第２通信部２１等の通信における電源の供給を維持して、電源オフ状態においても画像送信を可能に制御される。
【００３０】
また、携帯端末装置２は、例えば、タブレット端末として構成される。
なお、ハードウェアの構成については、撮影装置１と同様であるため省略する。以下、撮影装置１と携帯端末装置２におけるハードウェアを説明として用いる場合には、撮影装置１には、符号の末尾に「−１」を付すものとし、携帯端末装置２には符号の末尾に「−２」を付すものとする。即ち、撮影装置１は、ＣＰＵ１１−１乃至リムーバブルメディア３１−１と表記するものとし、携帯端末装置２は、ＣＰＵ１１−２乃至リムーバブルメディア３１−２と表記するものとする。
【００３１】
このように構成される撮影装置１では、携帯端末装置２からの遠隔操作に基づいて所定のデータ処理となる動作（以下、「リモート動作」という。）することができる機能を有する。リモート動作は、携帯端末装置２でのリモート動作用のアプリケーション（以下、「リモートアプリ」という。）を操作することにより行う。
本実施形態のリモート動作は、携帯端末装置２からの指示に基づいて、撮影装置１において撮影（以下、「リモート撮影」という。）を行う動作である。なお、携帯端末装置２において、リモート撮影を指示するアプリケーションを「リモート撮影アプリ」という。
【００３２】
また、撮影装置１では、携帯端末装置２との間のＷｉ−Ｆｉ接続が完了するまでの間に、撮影装置１において操作があった場合には、対応する動作（以下、「手動動作」という。）を行う機能を有する。
本実施形態の手動動作は、撮影装置１への撮影操作に基づいて、撮影（以下、「手動撮影」という。）を行う動作である。
また、撮影装置１では、電源オフ時に携帯端末装置２において起動しているリモートアプリを自動で終了させる機能を有する。なお、本実施形態においては、撮影装置１と携帯端末装置２とがともに、Ｗｉ−Ｆｉ接続完了状態で、かつ、リモート操作可能な状態を「第１の動作状態」とし、Ｗｉ−Ｆｉ接続完了状態であり、リモート操作不能な状態を「第２の動作状態」とする。
【００３３】
図３は、図２の撮影装置１及び携帯端末装置２の機能的構成のうち、リモート動作処理及び自動送信電源オフ処理を実行するための機能的構成を示す機能ブロック図である。
【００３４】
「リモート動作処理」とは、携帯端末装置２から撮影装置１に対してリモートアプリを介してリモート動作（本実施形態において、リモート撮影）を行わせる一連の処理をいう。リモート動作処理では、ＢＬＥ接続によって自動で、Ｗｉ−Ｆｉ接続によるリモート動作を行うリモートアプリを起動させ、Ｗｉ−Ｆｉの未接続状態では、撮影装置１での操作による手動動作（本実施形態においては、手動撮影）を可能にする。
【００３５】
「自動送信電源オフ処理」とは、撮影装置１をリモート動作可能で、撮影装置１で撮影された画像を携帯端末装置２へ自動送信する設定において、撮影装置１の電源オフの操作をした場合に、携帯端末装置２のリモートアプリを自動で終了させ、未送信の画像を送信後に、電源オフとなる一連の処理をいう。
【００３６】
撮影装置１側のリモート動作処理を実行する場合には、図３に示すように、ＣＰＵ１１−１において、通信制御部５１と、入力検出部５２と、撮影制御部５３と、が機能する。
【００３７】
また、記憶部１９−１の一領域には、画像記憶部７１が設定される。
画像記憶部７１には、撮影画像のデータが記憶される。
【００３８】
通信制御部５１は、携帯端末装置２との間で通信（ＢＬＥ通信及びＷｉ−Ｆｉ通信）を行うように第２通信部２１−１及び第１通信部２０−１を制御する。
具体的には、通信制御部５１は、携帯端末装置２に対してＷｉ−Ｆｉ接続要求を送信するように第２通信部２１−１を制御する。また、通信制御部５１は、第１通信部２０−１において携帯端末装置２との間のＷｉ−Ｆｉの接続の有無を示すステータスを確認する。また、通信制御部５１は、携帯端末装置２との間でＷｉ−Ｆｉの接続が完了しているか否かを判定する。また、通信制御部５１は、リモート撮影アプリの起動待ち状態であるか否かを判定する。また、通信制御部５１は、携帯端末装置２に対してリモート撮影アプリの起動要求を送信するように第２通信部２１−１を制御する。また、通信制御部５１は、携帯端末装置２からのリモート撮影要求を受信するように第１通信部２０−１を制御する。また、通信制御部５１は、携帯端末装置２からリモート撮影アプリ終了応答を受信するように第１通信部２０−１を制御する。
【００３９】
入力検出部５２は、ユーザによる入力部１７−１に対する各種入力操作を検出する。
具体的には、入力検出部５２は、携帯端末装置２との間のＷｉ−Ｆｉの接続がされていない状態において、入力部１７−１に対するシャッタ釦押下操作があったか否かを判定する。
【００４０】
撮影制御部５３は、撮影処理を実行するように撮像部１６−１を制御する。
具体的には、撮影制御部５３は、携帯端末装置２とのＷｉ−Ｆｉの接続が完了していない状態において、手動撮影となる撮影処理を実行するように撮像部１６−１を制御する。また、撮影制御部５３は、受信したリモート撮影要求に基づいて、リモート撮影となる撮影処理を実行するように撮像部１６−１を制御する。
【００４１】
携帯端末装置２側のリモート動作処理を実行する場合には、ＣＰＵ１１−２において、通信制御部９１と、アプリ管理部９２と、入力検出部９３と、が機能する。
【００４２】
通信制御部９１は、撮影装置１との間で通信（ＢＬＥ通信及びＷｉ−Ｆｉ通信）を行うように第２通信部２１−２及び第１通信部２０−２を制御する。
具体的には、通信制御部９１は、撮影装置１からのＷｉ−Ｆｉ接続要求を受信するように第２通信部２１−２を制御する。また、通信制御部９１は、撮影装置１との間でＷｉ−Ｆｉ接続を確立するＷｉ−Ｆｉ接続処理を実行するように第１通信部２０−２を制御する。また、通信制御部９１は、リモート撮影アプリの起動要求を受信するように第２通信部２１−２を制御する。また、通信制御部９１は、リモート撮影アプリの起動操作があり、リモート撮影アプリが起動した場合に、撮影装置１に対して、リモート撮影アプリが起動した旨を通知するように第１通信部２０−２を制御する。また、通信制御部９１は、撮影装置１に対してリモート撮影要求を送信するように第１通信部２０−２を制御する。また、通信制御部９１は、撮影装置１に対してリモート撮影アプリの終了要求を送信するように第１通信部２０−２を制御する。
【００４３】
アプリ管理部９２は、起動や終了、状態の把握等のアプリケーションの管理を行う。
具体的には、アプリ管理部９２は、リモート撮影アプリを起動するように制御する。
【００４４】
入力検出部９３は、ユーザによる入力部１７−２に対する各種入力操作を検出する。
具体的には、入力検出部９３は、入力部１７−２に対するリモート撮影アプリの起動操作があったか否かを判定する。また、入力検出部９３は、入力部１７−２に対するリモート撮影操作があったか否かを判定する。また、入力検出部９３は、入力部１７−２に対するリモート撮影アプリの終了操作があったか否かを判定する。
【００４５】
撮影装置１側の自動送信電源オフ処理を実行する場合には、ＣＰＵ１１−１において、通信制御部５１と、出力制御部５４と、電源管理部５５と、が機能する。
【００４６】
通信制御部５１は、携帯端末装置２との間で通信（ＢＬＥ通信及びＷｉ−Ｆｉ通信）を行うように第２通信部２１−１及び第１通信部２０−１を制御する。
また、通信制御部５１は、携帯端末装置２から取得したアプリケーションの起動状況を判定して、アプリケーションの終了要求を送信するように第２通信部２１−１を制御する。
具体的には、通信制御部５１は、携帯端末装置２に対してリモート撮影アプリの起動状態の調査要求を送信するように第１通信部２０−１を制御する。また、通信制御部５１は、携帯端末装置２からのリモート撮影アプリの起動状態の調査結果を受信するように第１通信部２０−１を制御する。また、通信制御部５１は、携帯端末装置２からの受信したリモート撮影アプリの起動状態の調査結果から、リモート撮影アプリが起動状態であるか否かを判定する。また、通信制御部５１は、携帯端末装置２に対してリモート撮影アプリの終了要求を送信するように第１通信部２０−１を制御する。また、通信制御部５１は、携帯端末装置２からのリモート撮影アプリの終了応答を受信するように第１通信部２０−１を制御する。また、通信制御部５１は、携帯端末装置２に対して未送信画像を順次送信するように第１通信部２０−１を制御する。
【００４７】
出力制御部５４は、画像を表示出力するように出力部１８−１を制御する。
具体的には、出力制御部５４は、未送信画像の残り枚数やその旨を警告表示するように出力部１８−１を制御する。
【００４８】
電源管理部５５は、電源のオン／オフ等の電源部２３−１の電源管理を行う。
具体的には、電源管理部５５は、送信停止、又は、未送信画像がなくなった場合に、電源をオフする処理を実行するように電源部２３−１を制御する。
【００４９】
携帯端末装置２側の自動送信電源オフ処理を実行する場合には、ＣＰＵ１１−２において、通信制御部９１と、アプリ管理部９２と、が機能する。
【００５０】
また、記憶部１９−２の一領域には、画像記憶部１１１が設定される。
画像記憶部１１１には、撮影画像のデータが記憶される。
【００５１】
通信制御部９１は、撮影装置１との間で通信（ＢＬＥ通信及びＷｉ−Ｆｉ通信）を行うように第２通信部２１−２及び第１通信部２０−２を制御する。
具体的には、通信制御部９１は、撮影装置１からのリモート撮影アプリの起動状態の調査要求を受信するように第１通信部２０−２を制御する。また、通信制御部９１は、撮影装置１に対してリモート撮影アプリの起動状態の調査結果を送信するように第１通信部２０−２を制御する。また、通信制御部９１は、撮影装置１からのリモート撮影アプリの終了要求を受信するように第１通信部２０−２を制御する。また、通信制御部９１は、撮影装置１に対してリモート撮影アプリの終了応答を送信するように第１通信部２０−２を制御する。また、通信制御部９１は、撮影装置１に未送信画像がある場合には、撮影装置１に対して撮影画像を受信するように第１通信部２０−２を制御する。
【００５２】
アプリ管理部９２は、起動や終了、状態の把握等のアプリケーションの管理を行う。
具体的には、アプリ管理部９２は、リモート撮影アプリの起動状態を調査する。また、アプリ管理部９２は、リモート撮影アプリを終了させる。
【００５３】
＜撮影装置１側のリモート動作処理＞
図４は、図３の機能的構成を有する図２の撮影装置１及び携帯端末装置２が実行するリモート動作処理の流れを説明するフローチャートである。
撮影装置１側のリモート動作処理は、例えば、電源オン操作といった、ユーザによる入力部１７−１へのリモート動作処理開始の操作により開始される。なお、リモート動作処理では、電源オフの状態も含め、事前に第２通信部２１−１により、携帯端末装置２との間でＢＬＥ接続が完了した状態となっている。
【００５４】
ステップＳ１１において、ＣＰＵ１１−１は、撮影装置１内の初期化処理を実行する。
【００５５】
ステップＳ１２において、通信制御部５１は、携帯端末装置２に対してＷｉ−Ｆｉ接続要求を送信するように第２通信部２１−１を制御する。
【００５６】
ステップＳ１３において、通信制御部５１は、第１通信部２０−１において携帯端末装置２との間のＷｉ−Ｆｉの接続の有無を示すステータスを確認する。
【００５７】
ステップＳ１４において、入力検出部５２は、携帯端末装置２との間のＷｉ−Ｆｉの接続がされていない状態において、入力部１７−１に対するシャッタ釦押下操作があったか否かを判定する。
シャッタ釦押下操作がない場合には、ステップＳ１４においてＮＯと判定されて、処理はステップＳ１６に進む。
シャッタ釦押下操作があった場合には、ステップＳ１４においてＹＥＳと判定されて、処理はステップＳ１５に進む。
【００５８】
ステップＳ１５において、撮影制御部５３は、携帯端末装置２とのＷｉ−Ｆｉの接続が完了していない状態において、撮影処理を実行するように撮像部１６−１を制御する（手動撮影）。
【００５９】
ステップＳ１６において、通信制御部５１は、携帯端末装置２との間でＷｉ−Ｆｉの接続が完了しているか否かを判定する。
Ｗｉ−Ｆｉの接続が完了していない場合には、ステップＳ１６においてＮＯと判定されて、処理はステップＳ１３に戻る。
Ｗｉ−Ｆｉの接続が完了している場合には、ステップＳ１６においてＹＥＳと判定されて、処理はステップＳ１７に進む。
【００６０】
ステップＳ１７において、通信制御部５１は、リモート撮影アプリの起動待ち状態であるか否かを判定する。
リモート撮影アプリの起動待ち状態でない場合には、ステップＳ１７においてＮＯと判定されて処理は待機状態となる。
リモート撮影アプリの起動待ち状態である場合には、ステップＳ１７においてＹＥＳと判定されて処理はステップＳ１８に進む。
【００６１】
ステップＳ１８において、通信制御部５１は、携帯端末装置２に対してリモート撮影アプリの起動要求を送信するように第２通信部２１−１を制御する。
【００６２】
ステップＳ１９において、通信制御部５１は、携帯端末装置２からのリモート撮影要求を受信するように第１通信部２０−１を制御する。
【００６３】
ステップＳ２０において、撮影制御部５３は、受信したリモート撮影要求に基づいて、撮影処理を実行するように撮像部１６−１を制御する（リモート撮影）。撮影処理によって、撮像部１６−１から出力された撮影画像は、画像記憶部７１に記憶される。
【００６４】
ステップＳ２１において、通信制御部５１は、携帯端末装置２からリモート撮影アプリ終了応答を受信するように第１通信部２０−１を制御する。その後処理は、ステップＳ１７に戻り、再びリモート撮影アプリの起動待ち状態となる。
【００６５】
＜携帯端末装置２側のリモート動作処理＞
携帯端末装置２側のリモート動作処理では、電源オフの状態も含め、事前に第２通信部２１−２により、撮影装置１との間でＢＬＥ接続が完了した状態となっているため、ユーザによるリモート動作処理開始の操作を必要とせず、自動で処理が実行される。
【００６６】
ステップＳ３１において、通信制御部９１は、撮影装置１からのＷｉ−Ｆｉ接続要求及びリモート撮影アプリ起動要求を受信するように第２通信部２１−２を制御する。
【００６７】
ステップＳ３２において、通信制御部９１は、撮影装置１との間でＷｉ−Ｆｉ接続を確立するＷｉ−Ｆｉ接続処理を実行するように第１通信部２０−２を制御する。
【００６８】
ステップＳ３３において、アプリ管理部９２は、リモート撮影アプリを起動するように制御する。
【００６９】
ステップＳ３４において、入力検出部９３は、入力部１７−２に対するリモート撮影操作があったか否かを判定する。
リモート撮影操作がない場合には、ステップＳ３４においてＮＯと判定されて、処理は待機状態となる。
リモート撮影操作があった場合には、ステップＳ３４においてＹＥＳと判定されて、処理はステップＳ３５に進む。
【００７０】
ステップＳ３５において、通信制御部９１は、撮影装置１に対してリモート撮影要求を送信するように第１通信部２０−２を制御する。ここで、通信制御部９１は、ＢＬＥを使用しなくとも、リモコン操作を可能とするため、リモート撮影指示をＷｉ−Ｆｉ経由で行うように構成する。
【００７１】
ステップＳ３６において、入力検出部９３は、入力部１７−２に対するリモート撮影アプリの終了操作があったか否かを判定する。
リモート撮影アプリの終了操作がない場合には、ステップＳ３６においてＮＯと判定されて、処理はステップＳ３４に戻る。
リモート撮影アプリの終了操作があった場合には、ステップＳ３６においてＹＥＳと判定されて、処理はステップＳ３７に進む。
【００７２】
ステップＳ３７において、通信制御部９１は、撮影装置１に対してリモート撮影アプリの終了要求を送信するように第１通信部２０−２を制御する。その後処理は、ステップＳ３３に戻り、再びリモート撮影アプリの起動操作の待ち状態となる。
【００７３】
＜撮影装置１側の自動送信電源オフ処理＞
図５は、図３の機能的構成を有する図２の撮影装置１及び携帯端末装置２が実行する自動送信電源オフ処理の流れを説明するフローチャートである。
撮影装置１側の自動送信電源オフ処理は、例えば、電源オフ操作といった、ユーザによる入力部１７−１への自動送信電源オフ処理開始の操作により開始される。
【００７４】
ステップＳ５１において、通信制御部５１は、携帯端末装置２に対してリモート撮影アプリの起動状態の調査要求を送信するように第１通信部２０−１を制御する。
【００７５】
ステップＳ５２において、通信制御部５１は、携帯端末装置２からのリモート撮影アプリの起動状態の調査結果を受信するように第１通信部２０−１を制御する。
【００７６】
ステップＳ５３において、通信制御部５１は、携帯端末装置２からの受信したリモート撮影アプリの起動状態の調査結果から、リモート撮影アプリが起動状態であるか否かを判定する。
リモート撮影アプリが起動状態でない場合には、ステップＳ５３においてＮＯと判定されて、処理はステップＳ５６に進む。
リモート撮影アプリが起動状態である場合には、ステップＳ５３においてＹＥＳと判定されて、処理はステップＳ５４に進む。
【００７７】
ステップＳ５４において、通信制御部５１は、携帯端末装置２に対してリモート撮影アプリの終了要求を送信するように第１通信部２０−１を制御する。
【００７８】
ステップＳ５５において、通信制御部５１は、携帯端末装置２からのリモート撮影アプリの終了応答を受信するように第１通信部２０−１を制御する。
【００７９】
ステップＳ５６において、通信制御部５１及び出力制御部５４は、自動送信シーケンス処理を実行する。自動送信シーケンス処理では、携帯端末装置２に対して未送信画像がある場合には、通信制御部５１は、撮影装置１に対して未送信画像を順次送信するように第１通信部２０−１を制御し、その際、出力制御部５４は、未送信画像の残り枚数やその旨を警告表示するように出力部１８−１を制御する。
【００８０】
ステップＳ５７において、電源管理部５５は、電源をオフするように電源部２３−１を制御する。その後、撮影装置１側の自動送信電源オフ処理は、終了する。
【００８１】
＜携帯端末装置２側の自動送信電源オフ処理＞
携帯端末装置２側の自動送信電源オフ処理は、リモート撮影アプリが起動している状態では、ユーザによる自動送信電源オフ処理開始の操作を必要とせず、自動で実行される。
【００８２】
ステップＳ７１において、通信制御部９１は、撮影装置１からのリモート撮影アプリの起動状態の調査要求を受信するように第１通信部２０−２を制御する。
【００８３】
ステップＳ７２において、アプリ管理部９２は、リモート撮影アプリの起動状態を調査する。
【００８４】
ステップＳ７３において、通信制御部９１は、撮影装置１に対してリモート撮影アプリの起動状態の調査結果を送信するように第１通信部２０−２を制御する。
【００８５】
ステップＳ７４において、通信制御部９１は、撮影装置１からのリモート撮影アプリの終了要求を受信するように第１通信部２０−２を制御する。
【００８６】
ステップＳ７５において、アプリ管理部９２は、リモート撮影アプリを終了させる。
【００８７】
ステップＳ７６において、通信制御部９１は、撮影装置１に対してリモート撮影アプリの終了応答を送信するように第１通信部２０−２を制御する。
【００８８】
ステップＳ７７において、通信制御部９１は、撮影装置１に対して未送信画像がある場合には、撮影画像を受信するように第１通信部２０−２を制御する。受信した撮影画像は、逐次画像記憶部１１１に記憶される。
その後、携帯端末装置２側の自動送信電源オフ処理は、終了する。
【００８９】
従来からカメラに対してＰＣなどからリモート撮影できるものはあったが、もともとカメラ単体での撮影操作がメインなので、リモート撮影状態にするためには、リモート撮影用のモードに移行させた状態で実施できるものであり、リモート撮影をメインとしてはいなかった。
【００９０】
そこで、本実施形態の撮影装置１では、電源オンと同時に無線接続を行いリモートアプリ起動させ、リモートアプリ終了後も次のリモートアプリ待ち状態となるという、リモートコントロール操作を前面に出すように構成した。また、本実施形態の画像送信システムＳにおいては、リモート撮影を前面に出した撮影装置１と電源オンと同時に無線接続を行い、携帯端末装置２においてリモートアプリを起動させ、リモートアプリ終了後も次のリモートアプリの待ち状態となるように構成する。
即ち、画像送信システムＳでは、撮影装置１の電源オン後、ＢＬＥにより常時接続している携帯端末装置２に対して、Ｗｉ−Ｆｉ接続指示と合わせて、リモートアプリの起動指示を行うように構成する。また、リモートアプリの起動が検出されるまでは、撮影装置１側の手動撮影を可能とし、手動撮影処理に移行する一方、起動が検出されると、本体側の手動撮影を禁止するように構成する。
また、撮影装置１では、電源オフ操作時に、起動中のリモートアプリの調査を行い、リモートアプリの終了指示を行ってから、電源オフ処理を行うように構成する。
【００９１】
したがって、画像送信システムＳにおいては、電源オンの直後から無線接続を行い、リモートアプリを即座に起動することができる上に、リモートアプリ終了後も次のリモートアプリ待ち状態となり、リモート動作を前面に出したことにより、リモートコントロールに特化した撮影装置１として操作しやすいものとすることができる。
【００９２】
以上のように構成される撮影装置１は、他の機器である携帯端末装置２と連携して所定のデータ処理を実行するデータ処理装置である。
また、撮影装置１は、撮影制御部５３と、第２通信部２１−１と、第１通信部２０−１と、通信制御部５１と、を備える。
撮影制御部５３は、所定のデータ処理であるリモート動作（リモート撮影）を実行する。
第１通信部２０−１は、第１の動作状態にあることを条件として、他の機器である携帯端末装置２との通信接続が可能である第１通信方式により通信を行う。
第２通信部２１−１は、第１の動作状態にない場合であっても、他の機器である携帯端末装置２との通信接続が可能である第２通信方式により通信を行う。
通信制御部５１は、第２通信部２１−１による第２通信方式を介し、他の機器である携帯端末装置２に対して、第１の動作状態に移行させる第１の指示を行う。
第１の動作状態は、
（ｉ）データ処理装置である撮影装置１が、他の機器である携帯端末装置２から所定のデータ処理を実行するように遠隔操作を実行可能であり、かつ
（ｉｉ）他の機器である携帯端末装置２が、データ処理装置である撮影装置１から第１通信部２０−１による第１通信方式を介して実行される所定のデータ処理であるリモート動作（リモート撮影）を受付可能な状態である。
これにより、撮影装置１においては、他の機器である携帯端末装置２からの遠隔操作に応じて処理されたデータを自動で他の機器である携帯端末装置２に送信する際の操作を簡略にすることができる。
【００９３】
通信制御部５１は、データ処理装置である撮影装置１が所定のデータ処理であるリモート動作（リモート撮影）を実行可能なモードに移行したことに呼応して、他の機器である携帯端末装置２に対して第１の指示を行う。
これにより、撮影装置１においては、ユーザ操作等を必要とせずに自動で、リモート動作（リモート撮影）可能な状態に移行させることができ、他の機器である携帯端末装置２からの遠隔操作に応じて処理されたデータを自動で他の機器である携帯端末装置２に送信する際の操作を簡略にすることができる。
【００９４】
また、撮影装置１は、撮像部１６−１を、更に備える。
通信制御部５１は、ユーザによる電源オン操作に呼応して、他の機器である携帯端末装置２に対して、第１の指示を行い。
撮影制御部５３は、他の機器である携帯端末装置２からの遠隔操作に呼応して、撮像部１６−１による撮影を実行し、当該撮影により取得された画像を第１通信部２０−１による第１通信方式を介し、当該他の機器である携帯端末装置２に送信する処理を、所定のデータ処理であるリモート動作（リモート撮影）として実行する。
これにより、撮影装置１においては、リモート動作としてリモート撮影を実行することができる。
【００９５】
撮影制御部５３は、ユーザによる撮影指示に呼応して、撮像部１６−１による撮影を実行する。
撮影制御部５３は、他の機器である携帯端末装置２が第１の動作状態にない場合は、撮影を許可し、当該第１の動作状態にある場合は、撮影を制限する制御を行う。
これにより、撮影装置１においては、手動撮影を実行することができる。
【００９６】
撮影制御部５３は、通信制御部５１により、他の機器である携帯端末装置２に対して第１の指示が行われた後であっても、当該他の機器である携帯端末装置２が第１の動作状態に移行する前は、撮影を許可する制御を行う。
これにより、撮影装置１においては、他の機器である携帯端末装置２が第１の動作状態に移行する前は、手動撮影を実行することができる。
【００９７】
通信制御部５１は、データ処理装置が、第１の動作状態とは異なる第２の動作状態に移行したことに呼応して、更に、第２通信部２１−１による第２通信方式を介し、他の機器である携帯端末装置２に対して、第２の動作状態に移行させる第２の指示を行い、
（ｉ）データ処理装置である撮影装置１が、他の機器である携帯端末装置２から所定のデータ処理を実行するように遠隔操作を実行不能であり、かつ
（ｉｉ）他の機器である携帯端末装置２が、データ処理装置である撮影装置１から第１通信部２０−１による第１通信方式を介して実行される当該所定のデータ処理であるリモート動作（リモート撮影）を受付可能な状態である。
これにより、撮影装置１においては、撮影装置１が所定のデータ処理であるリモート動作（リモート撮影）を実行不能なモードに移行したことに呼応して、遠隔操作を実行不能な第２の動作状態に移行させることができる。
【００９８】
通信制御部５１は、データ処理装置である撮影装置１が所定のデータ処理であるリモート動作（リモート撮影）を実行不能なモードに移行したことに呼応して、他の機器である携帯端末装置２が第１の動作状態にあるか否かを判別する。
通信制御部５１は、他の機器である携帯端末装置２が第１の動作状態にあると判別された場合に、当該他の機器である携帯端末装置２に対して、第２の指示を行う。
これにより、撮影装置１においては、携帯端末装置２が第１の動作状態にあると判別された場合に、遠隔操作を実行不能な第２の動作状態に移行させることができる。
【００９９】
撮影制御部５３は、他の機器である携帯端末装置２からの遠隔操作に呼応して、撮像部１６−１による撮影を実行し、当該撮影により取得された画像を第１通信部２０−１による第１通信方式を介し、当該他の機器である携帯端末装置２に送信する処理を、所定のデータ処理であるリモート動作（リモート撮影）として実行する。
通信制御部５１は、ユーザによる電源オフ操作に呼応して、他の機器である携帯端末装置２に対して、第２の指示を行う。
撮影制御部５３は、所定のデータ処理であるリモート動作（リモート撮影）を実行不能なモードに移行した後であっても、他の機器である携帯端末装置２に送信すべき画像がある場合は、当該画像を当該他の機器である携帯端末装置２に送信する処理を実行する。
これにより、撮影装置１においては、ユーザによる電源オフ操作に呼応して、携帯端末装置２に撮影画像を送信する処理を実行することができる。
【０１００】
他の機器である携帯端末装置２からデータ処理装置である撮影装置１への遠隔操作は、第１通信部２０−１による第１通信方式を介して行われる。
これにより、撮影装置１においては、第２通信方式を用いずに、第１通信方式で遠隔操作を行うことができる。
【０１０１】
第２通信方式は、通信速度が速い通信方式（Ｗｉ−Ｆｉ）である。
第１通信方式は、消費電力が低い通信方式（ＢＬＥ）である。
これにより、撮影装置１においては、消費電力が低いＢＬＥと、通信速度が速いＷｉ−Ｆｉを使い分けて、通信接続、アプリケーションの起動指示等の各種指示、画像送信等の処理を実行することができる。
【０１０２】
なお、本発明は、上述の実施形態に限定されるものではなく、本発明の目的を達成できる範囲での変形、改良等は本発明に含まれるものである。
【０１０３】
上述の実施形態では、電源オン時を例として、データ処理装置である撮影装置１が所定のデータ処理を実行可能なモードへの移行することを説明したが、これに限られない。データ処理装置である撮影装置１が所定のデータ処理を実行可能なモードへの移行することは、例えば、ＰＬＡＹモードからＲＥＣモードへの移行するような場合も含む。
【０１０４】
また、上述の実施形態では、電源オフ時を例として、データ処理装置である撮影装置１が所定のデータ処理を実行不能なモードへの移行することを説明したが、これに限られない。データ処理装置である撮影装置１が所定のデータ処理を実行不能なモードへの移行することは、例えば、ＲＥＣモードからＰＬＡＹモードへの移行するような場合も含む。
【０１０５】
また、上述の実施形態では、リモートアプリの例を、撮影装置１においてリモート撮影を行うリモート撮影アプリで説明したがこれに限られない。リモートアプリを、例えば、他の機器である携帯端末装置２からの遠隔操作（サムネイル一覧の送信要求）に対して、撮影装置１内の画像のサムネイル一覧を送信し、他の遠隔操作（個別の画像送信要求）に対して、指定された画像を送信するようなアプリケーション（「カメラ内画像閲覧アプリ」）とするように構成してもよい。
【０１０６】
また、上述の実施形態では、リモート撮影アプリをＷｉ−Ｆｉの接続／電源オフを契機にして自動で起動／終了するように構成していたが、ユーザにより手動で起動／終了するように構成してもよい。この場合、携帯端末装置２は、起動／終了があった旨を撮影装置１に対して通知する。
【０１０７】
また、上述の実施形態では、本発明が適用される撮影装置１及び携帯端末装置２は、デジタルカメラ及びタブレット端末を例として説明したが、特にこれに限定されない。
例えば、本発明は、リモート動作処理及び自動送信電源オフ処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、スマートウォッチ、ポータブルゲーム機等に適用可能である。
【０１０８】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮影装置１及び携帯端末装置２に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【０１０９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１０】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【０１１１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１１２】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１３】
以下に、本願の出願当初の特許請求の範囲に記載された発明を付記する。
［付記１］
他の機器と連携して所定のデータ処理を実行するデータ処理装置であって、
前記所定のデータ処理を実行する実行手段と、
第１の動作状態にあることを条件として、前記他の機器との通信接続が可能である第１の通信方式により通信を行う第１の通信手段と、
前記第１の動作状態にない場合であっても、前記他の機器との通信接続が可能である第２の通信方式により通信を行う第２の通信手段と、
当該データ処理装置が前記第１の動作状態に移行したことに呼応して、前記第２の通信手段による前記第２の通信方式を介し、前記他の機器に対して、前記第１の動作状態に移行させる第１の指示を行う制御手段と、
を備え、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信手段による前記第１の通信方式を介して実行される前記所定のデータ処理を受付可能な状態である、
ことを特徴とするデータ処理装置。
［付記２］
前記制御手段は、当該データ処理装置が前記所定のデータ処理を実行可能なモードに移行したことに呼応して、前記他の機器に対して前記第１の指示を行う、
ことを特徴とする付記１に記載のデータ処理装置。
［付記３］
撮像手段を、更に備え、
前記制御手段は、ユーザによる電源オン操作に呼応して、前記他の機器に対して、前記第１の指示を行い、
前記実行手段は、前記他の機器からの遠隔操作に呼応して、前記撮像手段による撮影を実行し、当該撮影により取得された画像を前記第１の通信手段による前記第１の通信方式を介し、当該他の機器に送信する処理を、前記所定のデータ処理として実行する、
ことを特徴とする付記２に記載のデータ処理装置。
［付記４］
ユーザによる撮影指示に呼応して、前記撮像手段による撮影を実行する手動撮影手段と、
前記他の機器が前記第１の動作状態にない場合は、前記手動撮影手段による撮影を許可し、当該第１の動作状態にある場合は、当該手動撮影手段による撮影を制限する制御を行う撮影制御手段と、を備える、
ことを特徴とする付記３に記載のデータ処理装置。
［付記５］
前記撮影制御手段は、前記制御手段により、前記他の機器に対して前記第１の指示が行われた後であっても、当該他の機器が前記第１の動作状態に移行する前は、前記手動撮影手段による撮影を許可する制御を行う、
ことを特徴とする付記４に記載のデータ処理装置。
［付記６］
前記制御手段は、当該データ処理装置が、前記第１の動作状態とは異なる第２の動作状態に移行したことに呼応して、更に、前記第２の通信手段による前記第２の通信方式を介し、前記他の機器に対して、当該第２の動作状態に移行させる第２の指示を行い、
前記第２の動作状態は、
（ｉ）当該データ処理装置が、前記他の機器から前記所定のデータ処理を実行するように遠隔操作を実行不能であり、かつ
（ｉｉ）前記他の機器が、当該データ処理装置から前記第１の通信手段による前記第１の通信方式を介して実行される当該所定のデータ処理を受付可能な状態である、
ことを特徴とする付記１に記載のデータ処理装置。
［付記７］
当該データ処理装置が前記所定のデータ処理を実行不能なモードに移行したことに呼応して、前記他の機器が前記第１の動作状態にあるか否かを判別する判別手段を、更に備え、
前記制御手段は、前記判別手段により前記他の機器が前記第１の動作状態にあると判別された場合に、当該他の機器に対して、前記第２の指示を行う、
ことを特徴とする付記６に記載のデータ処理装置。
［付記８］
撮像手段を、更に備え、
前記実行手段は、前記他の機器からの遠隔操作に呼応して、前記撮像手段による撮影を実行し、当該撮影により取得された画像を前記第１の通信手段による前記第１の通信方式を介し、当該他の機器に送信する処理を、前記所定のデータ処理として実行し、
前記制御手段は、ユーザによる電源オフ操作に呼応して、前記他の機器に対して、前記第２の指示を行い、
前記実行手段は、前記所定のデータ処理を実行不能なモードに移行した後であっても、前記他の機器に送信すべき画像がある場合は、当該画像を当該他の機器に送信する処理を実行する、
ことを特徴とする付記６又は７に記載のデータ処理装置。
［付記９］
前記他の機器から当該データ処理装置への遠隔操作は、前記第１の通信手段による前記第１の通信方式を介して行われる、
ことを特徴とする付記１乃至８の何れか１つに記載のデータ処理装置。
［付記１０］
前記第１の通信方式は、通信速度が速い通信方式であって、
前記第２の通信方式は、消費電力が低い通信方式である、
ことを特徴とする付記１乃至９の何れか１つに記載のデータ処理装置。
［付記１１］
他の機器と連携して所定のデータ処理を実行し、第１の通信手段と、第２の通信手段とを備えるデータ処理装置で実行されるデータ処理方法であって、
前記所定のデータ処理を実行する実行ステップと、
第１の動作状態にあることを条件として、前記他の機器との通信接続が可能である第１の通信方式により第１の通信手段で通信を行う第１の通信ステップと、
前記第１の動作状態にない場合であっても、前記他の機器との通信接続が可能である第２の通信方式により第２の通信手段で通信を行う第２通信ステップと、
当該データ処理装置が前記第１の動作状態に移行したことに呼応して、前記第２の通信手段による前記第２の通信方式を介し、前記他の機器に対して、前記第１の動作状態に移行させる第１の指示を行う制御ステップと、
を含み、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信ステップにおいて前記第１の通信方式を介して実行される前記所定のデータ処理を受付可能な状態である、
ことを特徴とするデータ処理方法。
［付記１２］
他の機器と連携して所定のデータ処理を実行し、第１の通信手段と、第２の通信手段とを備えるデータ処理装置を制御するコンピュータを、
前記所定のデータ処理を実行する実行機能と、
第１の動作状態にあることを条件として、前記他の機器との通信接続が可能である第１の通信方式により第１の通信手段で通信を行う第１の通信機能と、
前記第１の動作状態にない場合であっても、前記他の機器との通信接続が可能である第２の通信方式により第２の通信手段で通信を行う第２通信機能と、
当該データ処理装置が前記第１の動作状態に移行したことに呼応して、前記第２の通信手段による前記第２の通信方式を介し、前記他の機器に対して、前記第１の動作状態に移行させる第１の指示を行う制御機能と、
を実行し、
前記第１の動作状態は、
（ｉ）当該データ処理装置が、前記他の機器から前記所定のデータ処理を実行するように遠隔操作を実行可能であり、かつ
（ｉｉ）前記他の機器が、当該データ処理装置から前記第１の通信機能による前記第１の通信方式を介して実行される前記所定のデータ処理を受付可能な状態である、
ことを特徴とするプログラム。
【符号の説明】
【０１１４】
１・・・撮影装置，２・・・携帯端末装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，２３・・・電源部，３１・・・リムーバブルメディア，５１・・・通信制御部，５２・・・入力検出部，５３・・・撮影制御部，５４・・・出力制御部，５５・・・電源管理部，７１・・・画像記憶部，９１・・・通信制御部，９２・・・アプリ管理部，９３・・・入力検出部，１１１・・・画像記憶部，Ｓ・・・画像送信システム
【図１】
2017204818.tif 000003
【図２】
2017204818.tif 000004
【図３】
2017204818.tif 000005
【図４】
2017204818.tif 000006
【図５】
2017204818.tif 000007